(57)【要約】【課題】第１搬送ラインにより搬送されたＩＣカードを第２搬送ライン上に安定して載置するとともに、ＩＣカードに確実に情報を書き込む。【解決手段】第１搬送ライン３２と第２搬送ライン３３との間に保持移送機構５０が設けられている。この保持移送機構５０はＩＣカード１を保持しながら移送する搬送ローラ５５，５８を含む。保持移送機構５０に第１リーダライタ２７が設けられている。【選択図】図１
2020111003.tif 000002
【特許請求の範囲】
【請求項１】
カード用プリンタにおいて、
ＩＣカードを積層して収納するカード用ホッパーと、
前記カード用ホッパーからの前記ＩＣカードを搬送する第１搬送ラインと、
前記第１搬送ラインに沿って設けられ、前記ＩＣカードに対して印刷を施す印刷部と、
前記第１搬送ラインの下方に配置され、前記ＩＣカードを搬送する第２搬送ラインと、
前記第２搬送ラインに沿って設けられ、前記ＩＣカードに対して保護シートを設ける保護シート形成部と、
前記第１搬送ラインの出口と前記第２搬送ラインの入口との間に配置され、前記ＩＣカードを前記第１搬送ラインの出口から前記第２搬送ラインの入口へ保持しながら移送する保持移送機構とを備え、
前記保持移送機構に前記ＩＣカードに対して情報の書き込みを行なう書込部を設けた、カード用プリンタ。
【請求項２】
前記保持移送機構は前記ＩＣカードを垂直方向に向けて前記ＩＣカードを挟持しながら移送する複数の搬送ローラを含む、請求項１記載のカード用プリンタ。
【請求項３】
前記保持移送機構は前記ＩＣカードを水平方向に向けて前記ＩＣカードを載置しながら移動する移動台を含む、請求項１記載のカード用プリンタ。
【請求項４】
前記保持移送機構の上端部に、前記ＩＣカードの向きを水平方向から垂直方向に変える上部回転機構が設けられ、前記保持移送機構の下端部に、前記ＩＣカードの向きを垂直方向から水平方向に変える下部回転機構が設けられている、請求項２記載のカード用プリンタ。
【請求項５】
前記下部回転機構は回転ローラと、この回転ローラの周囲を回動する回転フラップを有し、前記回転フラップには前記回転ローラとの間で前記ＩＣカードを挟持するニップローラが取り付けられている、請求項４記載のカード用プリンタ。
【請求項６】
前記下部回転機構に排出ラインが接続され、不良品のＩＣカードを前記下部回転機構から前記第２搬送ラインへ送ることなく、前記排出ラインを介して外方へ排出する、請求項４または５記載のカード用プリンタ。
【発明の詳細な説明】
【技術分野】
【０００１】
本開示は、運転免許証、クレジットカード、キャッシュカード、社員証、身分証、その他のＩＣカードやＩＤカードを作成するために用いられるカード用プリンタに関する。
【背景技術】
【０００２】
従来より運転免許証、クレジットカード、キャッシュカード、社員証、身分証、その他のＩＣカードやＩＤカードを作成するためカード用プリンタが用いられている。
【０００３】
このカード用プリンタは多数のカードを多層に積載したＩＣカード用ホッパーを有する。そしてＩＣカード用ホッパーからのＩＣカードが一枚ずつ第１搬送ラインに移されて搬送される。
【０００４】
第１搬送ラインにより搬送されたＩＣカードはその後、カード用プリンタ内の印刷部に送られて印刷が施され、さらに第１搬送ライン上のＩＣカードは落下部まで送られる。その後、落下部に設けられた書込部においてカードに内蔵されたＩＣチップに必要な情報が書き込まれる。
【０００５】
次にＩＣチップに必要な情報が書き込まれたＩＣカードは、落下部内で第２搬送ラインまで自然落下し、第２搬送ライン上を搬送される。次に第２搬送ラインにより搬送される間、ＩＣカードに対して保護シートが設けられる。
【０００６】
ところでＩＣカードを落下部内で第２搬送ラインまで自然落下させる際、第２搬送ライン上でＩＣカードが跳ね上がり、第２搬送ライン上にＩＣカードを安定した姿勢で載置することがむずかしい場合がある。
【０００７】
また、落下部に設けられた書込部によりＩＣカードに情報の書き込む際、落下するＩＣカードを一旦書込部近傍で停止させる制御は容易ではない。
【先行技術文献】
【特許文献】
【０００８】
【特許文献１】特開２００７−９９４０７号公報
【発明の概要】
【発明が解決しようとする課題】
【０００９】
本開示はこのような点を考慮してなされたものであり、第１搬送ラインにより搬送されるＩＣカードを第２搬送ラインまで搬送する際、ＩＣカードを第２搬送ライン上で跳ね上がることなく安定して第２搬送ライン上に載置することができ、かつＩＣカードを確実に停止させてＩＣカードに対して情報の書き込みを行なうことができるカード用プリンタを提供することを目的とする。
【課題を解決するための手段】
【００１０】
本開示は、カード用プリンタにおいて、ＩＣカードを積層して収納するカード用ホッパーと、前記カード用ホッパーからの前記ＩＣカードを搬送する第１搬送ラインと、前記第１搬送ラインに沿って設けられ、前記ＩＣカードに対して印刷を施す印刷部と、前記第１搬送ラインの下方に配置され、前記ＩＣカードを搬送する第２搬送ラインと、前記第２搬送ラインに沿って設けられ、前記ＩＣカードに対して保護シートを設ける保護シート形成部と、前記第１搬送ラインの出口と前記第２搬送ラインの入口との間に配置され、前記ＩＣカードを前記第１搬送ラインの出口から前記第２搬送ラインの入口へ保持しながら移送する保持移送機構とを備え、前記保持移送機構に前記ＩＣカードに対して情報の書き込みを行なう書込部を設けた、カード用プリンタである。
【００１１】
本開示は、前記保持移送機構は前記ＩＣカードを垂直方向に向けて前記ＩＣカードを挟持しながら移送する複数の搬送ローラを含む、カード用プリンタである。
【００１２】
本開示は、前記保持移送機構は前記ＩＣカードを水平方向に向けて前記ＩＣカードを載置しながら移動する移動台を含む、カード用プリンタである。
【００１３】
本開示は、前記保持移送機構の上端部に、前記ＩＣカードの向きを水平方向から垂直方向に変える上部回転機構が設けられ、前記保持移送機構の下端部に、前記ＩＣカードの向きを垂直方向から水平方向に変える下部回転機構が設けられている、カード用プリンタである。
【００１４】
本開示は、前記下部回転機構は回転ローラと、この回転ローラの周囲を回動する回転フラップを有し、前記回転フラップには前記回転ローラとの間で前記ＩＣカードを挟持するニップローラが取り付けられている、カード用プリンタである。
【００１５】
本開示は、前記下部回転機構に排出ラインが接続され、不良品のＩＣカードを前記下部回転機構から前記第２搬送ラインへ送ることなく、前記排出ラインを介して外方へ排出する、カード用プリンタである。
【発明の効果】
【００１６】
以上のように本開示によれば、第１搬送ラインにより搬送されるＩＣカードを第２搬送ラインまで移送させる際、第２搬送ライン上で跳ね上がることなく、ＩＣカードを安定して第２搬送ライン上に載置することができ、かつ第１搬送ラインから第２搬送ラインまでの間でＩＣカードを確実に停止させてＩＣカードに対して情報の書き込みを行うことができる。
【図面の簡単な説明】
【００１７】
【図１】図１は本実施の形態によるカード用プリンタの保持移送機構を示す詳細図。
【図２】図２はカード用プリンタの保持移送機構を示す斜視図。
【図３】図３はカード用プリンタの全体を示す全体構成図。
【図４】図４（ａ）はＩＣカードの表面を示す図、図４（ｂ）はＩＣカードの裏面を示す図、図４（ｃ）は追記情報ラベルを示す図。
【図５】図５はカード用プリンタの保持移送機構の概略を示す図。
【図６】図６はカード用プリンタの保持移送機構の変形例を示す図。
【図７】図７はカード用プリンタの保持移送機構の他の変形例を示す図。
【発明を実施するための形態】
【００１８】
＜本実施の形態＞
以下、図面を参照して本実施の形態について説明する。
【００１９】
図１乃至図５は本実施の形態によるカード用プリンタを示す図である。
【００２０】
本実施の形態によるカード用プリンタ２０は、図４（ａ）（ｂ）（ｃ）に示すようなＩＣチップ１ａを含むＩＣカード１の表面２に対して各個人の必要な表面情報２ａおよび顔画像情報２ｂを印字するとともに、ＩＣカード１の裏面３に対して裏面情報３ａを印字し、ＩＣチップ１ａ内に表面情報２ａおよび裏面情報３ａを書込んで、例えば社員カード、銀行カード、運転免許証等のＩＤカードを作製するものである。この場合、裏面情報のうちＩＣカード１の裏面３に印字できない追記情報５ａは、追記情報ラベル５に印字される。
【００２１】
ここで必要な表面情報２ａとは、当該個人の氏名、および住所等が考えられる。また裏面情報３ａとは表面に書き込めない住所の詳細情報が考えられ、さらに追記情報ラベル５に表記される追記情報５ａとは個人の詳細な運転条件等が考えられる。またＩＣカード１の表面２に個人のＩＤ番号（ＩＤ情報）２ｃも、印字される。
【００２２】
またカード用プリンタ２０においては、ＩＣカード１のＩＣチップ１ａ内に、表面情報２ａが書込まれる。
【００２３】
さらにカード用プリンタ２０の下流側には、ＩＣカード１のＩＣチップ１ａ内に裏面情報３ａを書き込み、かつＩＣカード１の裏面に裏面情報３ａを印字する裏面書込機能付プリンタ４０が接続されている（図３参照）。
【００２４】
さらにこの裏面書込機能付プリンタ４０には、ＩＣカード１のＩＣチップ１ａから裏面情報３ａを読み取り、裏面情報３ａのうちＩＣカード１の裏面３に印字できない追記情報５ａを印字して追記情報ラベル５を作製するとともに、この追記情報ラベル５を発行する追記情報ラベル発行部２８が接続されている（図３参照）。
【００２５】
次に図３および図５によりＩＣカード１に対して必要な情報を印字し、かつＩＣチップ１ａ内に必要な情報を書込むカード用プリンタ２０の概略を示す。ここで図３はカード用プリンタの全体を示す構成図、図５は保持移送機構の概略構成を示す図である。
【００２６】
図３に示すようにカード用プリンタ２０は、ケーシング２０Ａと、ケーシング２０Ａ内上方に設けられＩＣカード１を積層して収納する４つのカードマガジン２１ａ、２１ｂ、２１ｃ、２１ｄを含むＩＣカード用ホッパー２１と、ＩＣカード用ホッパー２１の各カードマガジン２１ａ、２１ｂ、２１ｃ、２１ｄ内に収納されたＩＣカード１を受け取って搬送するとともに、複数の搬送ローラからなる第１搬送ライン３２と、第１搬送ライン３２に沿って配置されＩＣカード１の表面２に顔画像情報２ｂを印字するＹ印刷（イエロー印刷部）、Ｍ印刷（マゼンタ印刷）Ｃ印刷（シアン印刷）およびＯＰ印刷を施す昇華印刷ユニット２２とを有している。
【００２７】
また昇華印刷ユニット２２の下流側にはＩＣカード１の表面２に表面情報２ａおよびＩＤ情報２ｃを印字する溶融印刷ユニット２３が設けられている。この場合、昇華印刷ユニット２２と溶融印刷ユニット２３とによって印刷部２２、２３が構成されている。
【００２８】
溶融印刷ユニット２３を通過したＩＣカード１は第１搬送ライン３２の出口３２Ａから当接体３２ａに向って送られ、当接体３２ａに当接した後、案内路３２ｂにより案内されて垂直方向を向き、後述する保持移送機構５０を介して第１搬送ライン３２の下方にある第２搬送ライン３３の入口３３Ａへ送られる（図５参照）。なお、第１搬送ライン３２の出口３２Ａに設けられた当接体３２ａと案内路３２ｂは、保持移送機構５０の上部回転機構５１を構成する。
【００２９】
また保持移送機構５０内には第１リーダライタ（書込部）２７が内蔵されている。この第１リーダライタ２７は、ＩＣカード１のＩＣチップ１ａに表面情報２ａおよびＩＤ情報２ｃを書き込むものである。また第２搬送ライン３３は、第１搬送ライン３２と同様、複数の搬送ローラからなる。
【００３０】
また第２搬送ライン３３に沿って、ＩＣカード１の表面２に印字された表面情報２ａおよび顔画像情報２ｂを保護するためＩＣカード１の表面２上に第１保護シート（図示せず）を設ける第１保護シート形成部２９が設けられ、第１保護シート形成部２９の下流側に第１保護シート上に更に第２保護シート（図示せず）を設ける第２保護シート形成部３０が設けられている。これら第１保護シート形成部２９と第２保護シート形成部３０によって保護シート形成部２９、３０が構成される。
【００３１】
また第２搬送ライン３３の下流側には、表面情報２ａ、顔画像情報２ｂ、ＩＤ情報２ｃが表面２に印字され、かつＩＣチップ１ａ内に表面情報２ａおよびＩＤ情報２ｃが書き込まれたＩＣカード１を受け取り、所定のＩＣカード１毎に収納する４つのカード収納部３５ａ、３５ｂ、３５ｃ、３５ｄを含むカード集積部３５が設けられている。
【００３２】
カード集積部３５に送られたＩＣカード１は、その後必要に応じて裏面書込機能付プリンタ４０および追記情報ラベル発行部２８へ順次送られる。
【００３３】
また裏面書込機能付プリンタ４０は、ＩＣカード１のＩＣチップ１ａ内に必要な裏面情報３ａを書き込む第２リーダライタ４１と、ＩＣカード１の裏面３に必要な裏面情報３ａを印字する裏面印字部４２とを有している。さらに第２リーダライタ４１および裏面印字部４２の上流側に入口スタッカ４０ａが設けられ、第２リーダライタ４１および裏面印字部４２の下流側に出口スタッカ４０ｂが設けられている。またケーシング２０Ａの上部には操作用のタッチパネル２５が取り付けられている。
【００３４】
ところでカード用プリンタ２０および裏面書込機能付プリンタ４０は全体としてプリンタ制御部２０ａにより駆動制御される。
【００３５】
次に図１および図２により、第１搬送ライン３２と第２搬送ライン３３との間に設けられた保持移送機構５０について説明する。この保持移送機構５０は第１搬送ライン３２の出口３２Ａと第２搬送ライン３３の入口３３Ａとの間に設けられ、ＩＣカード１を第１搬送ライン３２の出口３２Ａから第２搬送ライン３３の入口３３Ａまで保持しながら搬送するものである。
【００３６】
このような保持移送機構５０は、図１に示すように、ＩＣカード１を垂直方向に向けてＩＣカード１を挟持しながら移送する複数の駆動ローラ５５と、各駆動ローラ５５との間でＩＣカード１を挟持するニップローラ５８とを有する。このうち駆動ローラ５５は、駆動ローラ５５および案内ローラ５６ａに掛け渡された駆動ベルト５６により駆動される。また駆動ベルト５６は図示しない駆動機構により駆動されている。
【００３７】
なお、複数の駆動ローラ５５と、各駆動ローラ５５との間でＩＣカード１を挟持しながらニップするニップローラ５８とによりＩＣカード１を移送する搬送ローラ５５、５８が構成される。
【００３８】
図１および図２に示すように、保持移送機構５０の複数の駆動ローラ５５は垂直方向に並んで配置され、各駆動ローラ５５に対応して設けられたニップローラ５８も垂直方向に並んで配置され、このことにより保持移送機構５０内においてＩＣカード１を垂直方向に向けて下方へ向かって移送することができる。
【００３９】
また、保持移送機構５０には上述のように第１リーダライタ２７が設けられている。本実施の形態において、保持移送機構５０の駆動ローラ５５とニップローラ５８との間で挟持されたＩＣカード１を、駆動ローラ５５の駆動を停止させることにより第１リーダライタ２７近傍で確実に一旦停止させることができる。このように第１リーダライタ２７近傍で一旦停止したＩＣカード１に対して第１リーダライタ２７により、情報の書き込みを行うことができる。
【００４０】
ところで、図５に示すように第１搬送ライン３２上において、ＩＣカード１は表面２を上方に向けて水平方向に搬送され、保持移送機構５０の上端部に設けられた上部回転機構５１によりＩＣカード１が回転してＩＣカード１の向きが垂直方向に変化する。この場合、上部回転機構５１は当接体３２ａと案内路３２ｂとを有し、この上部回転機構５１により、表面２を上方に向けて水平方向に搬送されたＩＣカード１は回転して、ＩＣカード１の表面２が右側を向くよう垂直方向に姿勢を変えて保持移送機構５０により移送される。
【００４１】
また保持移送機構５０はその下端部に下部回転機構５２が設けられている。この下部回転機構５２は、駆動ベルト５６により駆動される回転ローラ５７と、この回転ローラ５７の周囲を回動する回転フラップ５９とを有し、回転フラップ５９には回転ローラ５７との間でＩＣカード１を挟持するニップローラ５９ａが設けられている。
【００４２】
下部回転機構５２はＩＣカード１が保持移送機構５０により垂直方向に移送されてきた場合、回転ローラ５７の周囲を回転フラップ５９が回動して、このＩＣカード１を回転させてその姿勢を垂直方向から水平方向へ変えて、第２搬送ライン３３側へ送り出すものである。この場合、保持移送機構５０において右側に表面２を向けて垂直方向に移送されてきたＩＣカード１は、表面２を上方に向けて水平方向に向きを変える。
【００４３】
また、回転ローラ５７と回転フラップ５９の下方には、不良品のＩＣカード１をこの回転ローラ５７と回転フラップ５９との間から外方へ排出する排出ライン６０が設けられている。
【００４４】
なお、第２搬送ライン３３の入口３３Ａには、駆動ベルト５６により駆動する引込ローラ６１とこの引込ローラ６１との間でＩＣカード１を挟持して第２搬送ライン３３側へ引き込むニップローラ６２とが設けられている。
【００４５】
次にこのような構成からなる本実施の形態の作用について説明する。
【００４６】
まずカード用プリンタ２０のＩＣカード用ホッパー２１の各カードマガジン２１ａ〜２１ｄ内に、多数のＩＣカード１が多層に積載されている。
【００４７】
この場合、カードマガジン２１ａ〜２１ｄ内には、印字および書込みがなされていないＩＣカード１が積載されている。
【００４８】
次に印字および書込みがなされていないＩＣカード１が、ＩＣカード用ホッパー２１の各カードマガジン２１ａ〜２１ｄから排出される。その後ＩＣカード１は第１搬送ライン３２へ送られ、ＩＣカード１は第１搬送ライン３２に沿って搬送される。この場合、第１搬送ライン３２上において、ＩＣカード１は水平方向を向いて搬送される。
【００４９】
第１搬送ライン３２に沿ってＩＣカード１が搬送される際、このＩＣカード１の表面２に対して昇華印刷ユニット２２によりイエロー印刷、マゼンタ印刷、シアン印刷が施され、このようにしてＩＣカード１の表面２に顔画像情報２ｂが印字される。また印字された顔画像情報２ｂ上にＯＰ印刷が施される。
【００５０】
その後ＩＣカード１は第１搬送ライン３２によって溶融印刷ユニット２３に送られ、この溶融印刷ユニット２３においてＩＣカード１の表面２に表面情報２ａおよびＩＤ情報２ｃが印字される。
【００５１】
次にＩＣカード１は水平方向の姿勢を維持したまま、第１搬送ライン３２の出口３２Ａから上部回転機構５１の当接体３２ａに向って送られ、当接体３２ａに当接した後、案内路３２ｂにより案内されて垂直方向を向き、保持移送機構５０に送られる。
【００５２】
次にＩＣカード１はその表面を図５の右側に向けて保持移送機構５０により下方へ送られる。
【００５３】
保持移送機構５０において、ＩＣカード１は駆動ローラ５５とニップローラ５８との間で挟持されながら下方へ向かって移送される。次にＩＣカード１は第１リーダライタ２７近停において停止し、ＩＣカード１のＩＣチップ１ａに対して第１リーダライタ２７から表面情報２ａ、顔画像情報２ｂおよびＩＤ情報２ｃが書き込まれる。
【００５４】
次にＩＣカード１は保持移送機構の下部回転機構５２に至る。この下部回転機構５２において、ＩＣカード１は回転ローラ５７と回転フラップ５９のニップローラ５９ａとの間で挟持される。次に回転フラップ５９が回転ローラ５７の周囲を回動し、ＩＣカード１を回転させて、垂直方向を向いていたＩＣカード１の姿勢を変えて水平方向に向かせる。
【００５５】
このようにＩＣカード１の向きを水平方向に変えた後、下部回転機構５２からＩＣカード１は第２搬送ライン３３側へ送られる。第２搬送ライン３３上において、ＩＣカード１はその表面２を上方に向けて水平方向の搬送される。
【００５６】
なお、保持移送機構５０に送られてきたＩＣカード１が不良品の場合、保持移送機構５０の下部回転機構５２において、回転フラップ５９が回転ローラ５７の周囲を回動することはない。この場合は、回転ローラ５７とニップローラ５９ａとの間からＩＣカード１が排出ライン６０を経て外方へ排出される。                                
【００５７】
上述のように、表面情報２ａ、顔画像情報２ｂ、ＩＤ情報２ｃが表面２に印字され、かつＩＣチップ１ａに表面情報２ａおよびＩＤ情報２ｃが書込まれたＩＣカード１は、その後第２搬送ライン３３に沿って搬送されて第１保護シート形成部２９へ送られ、この第１保護シート形成部２９においてＩＣカード１の表面に第１保護シートが形成される。次にＩＣカード１は第２搬送ライン３３に沿って第２保護シート形成部３０へ送られ、この第２保護シート形成部３０においてＩＣカード１の第１保護シート上に第２保護シートが形成される。
【００５８】
次にＩＣカード１は第２搬送ライン３３により搬送され、カード集積部３５に達する。ＩＣカード１はこのカード集積部３５の所定のカード収納部３５ａ、３５ｂ、３５ｃ、３５ｄ内に振り分けられて収納される。
【００５９】
次にＩＣカード１は、必要に応じてその後裏面書込機能付プリンタ４０へ送られる。そしてＩＣカード１はこの裏面書込機能付プリンタ４０内において、第２リーダライタ４１によりＩＣチップ１ａ内に裏面情報３ａが書込まれ、続いて裏面印字部４２によりＩＣカード１の裏面３に裏面情報３ａが印字される。
【００６０】
このようにしてカード用プリンタ２０および裏面書込機能付プリンタ４０によって、ＩＣカード１に対する印字および書込作業が終了し、印字および書込済のＩＣカード１が得られる。
【００６１】
なお、カード用プリンタ２０および裏面書込機能付プリンタ４０における各構成部分は、上述のようにプリンタ制御部２０ａにより駆動制御される。
【００６２】
印字すべき裏面情報がないと判断されたＩＣカード１は、裏面書込機能付プリンタ４０を経ることなく外方へ排出される。
【００６３】
次に裏面書込機能付プリンタ４０を経たＩＣカード１は、必要に応じて追記情報ラベル発行部２８に送られる。この追記情報ラベル発行部２８では、ＩＣカード１のＩＣチップ１ａから裏面情報３ａを読み取り、裏面情報３ａのうちＩＣカード１の裏面に印字できない追記情報５ａを印字して追記情報ラベル５を作製し発行する。このようにして得られた追記情報ラベル５は、その後ＩＣカード１の裏面３の所望位置に貼付される。
【００６４】
以上のように本実施の形態によれば、第１搬送ライン３２により搬送されたＩＣカード１を保持移送機構５０により駆動ローラ５５とニップローラ５８との間で挟持しながら第２搬送ライン３３まで移送することができる。また、保持移送機構５０により移送されるＩＣカード１を第１リーダライタ２７近傍において確実に停止させることができる。
【００６５】
このためＩＣカード１を第１搬送ライン３２から第２搬送ライン３３まで自然落下させる場合に比べて、第２搬送ライン３３上において跳ね上がることはなく、ＩＣカード１を安定して第２搬送ライン３３上に載置することができる。また、保持移送機構５０により移送されるＩＣカード１を確実に第１リーダライタ２７近傍において停止させることができ、このことによりＩＣカード１に対して第１リーダライタ２７から確実に情報の書き込みを行うことができる。
【００６６】
＜実施の形態の変形例＞
次に図６および図７により保持移送機構５０の変形例について説明する。
【００６７】
図６に示す保持移送機構５０の上部回転機構５１において、水平方向を向いて第１搬送ライン３２で搬送されたＩＣカード１を垂直方向に向くようＩＣカード１を回転させてもよい。
【００６８】
この場合、第１搬送ライン３２において水平方向に搬送されたＩＣカード１は表面が情報を向き、上部回転機構５１により回転して表面２が左側を向くようその姿勢を変化させる。
【００６９】
また、図６において、表面２が左側を向いて保持移送機構５０により移送されるＩＣカード１は、下部回転機構５２により回転して、表面２が上方を向くよう姿勢が変化する。次に下部回転機構５２により回転して姿勢が変化したＩＣカード１は、第２搬送ライン３３に沿って搬送される。
【００７０】
図６に示す変形例において、保持移送機構５０の他の構成は、図１乃至図５に示す実施の形態と略同一である。
【００７１】
図６に示す変形例において、図１乃至図５に示す実施の形態と同一部分には同一符号を付して詳細な説明は省略する。
【００７２】
保持移送機構５０により移送されるＩＣカード１は、第１リーダライタ２７近傍で停止し、このＩＣカード１のＩＣチップ１ａに対して所望の情報が書き込まれる。
【００７３】
あるいは図７に示すように、保持移送機構５０として駆動ローラ５５とニップローラ５８とを有する搬送ローラ５５、５８を用いる代わりに、保持移送機構５０として第１搬送ライン３２から第２搬送ライン３３まで上下方向に移動可能な移動台６３を用いてもよい。
【００７４】
図７に示す変形例において、他の構成は図１乃至図５に示す実施の形態と略同一である。
【００７５】
図７に示す変形例において、図１乃至図５に示す実施の形態と同一部分には同一符号を付して詳細な説明は省略する。
【００７６】
図７において、第１搬送ライン３２により搬送されてきたＩＣカード１は、移動台６３上に載置され、その後、移動台６３上のＩＣカード１のＩＣチップ１ｃに対して第１リーダライタ２７により必要な情報が書き込まれる。その後、移動台６３が降下して、移動台６３上のＩＣカード１が第２搬送ライン３３側へ送られる。
【００７７】
図７に示す変形例において、第１搬送ライン３２上のＩＣカード１はその表面２を上方に向けて搬送される。移動台６３上のＩＣカード１および第２搬送ライン３３上のＩＣカード１もその表面２を上方に向けて、その姿勢を変えることなく、移動台６３から第２搬送ライン３３側へ送ることができる。
【００７８】
図６および図７に示す変形例において、ＩＣカード１は第２搬送ライン３３上において跳ね上がることなく、ＩＣカード１を安定して第２搬送ライン３３上に載置することができる。また、ＩＣカード１に対して第１リーダライタ２７により必要な情報を確実に書き込むことができる。
【符号の説明】
【００７９】
１  ＩＣカード
１ａ  ＩＣチップ
２０  カード用プリンタ
２０ａ  プリンタ制御部
２１  ＩＣカード用ホッパー
２１ａ〜２１ｄ  カードマガジン
２２  昇華印刷ユニット
２３  溶融印刷ユニット
２７  第１リーダライタ
２９  第１保護シート形成部
３０  第２保護シート形成部
３２  第１搬送ライン
３２Ａ  出口
３３  第２搬送ライン
３３Ａ  入口
５０  保持移送機構
５１  上部回転機構
５２  下部回転機構
５５  駆動ローラ
５７  回転ローラ
５８  ニップローラ（搬送ローラ用ニップローラ）
５９  回転フラップ
５９ａ  ニップローラ（回転フラップ用ニップローラ）
６０  排出ライン
【図１】
2020111003.tif 000003
【図２】
2020111003.tif 000004
【図３】
2020111003.tif 000005
【図４】
2020111003.tif 000006
【図５】
2020111003.tif 000007
【図６】
2020111003.tif 000008
【図７】
2020111003.tif 000009